(57)【要約】【課題】娯楽性及び適切且つ適度な射幸性を備える電子クーポンをユーザに提供することにより、電子商取引のみならず一般商取引を促進する、商取引促進システムを提供する。【解決手段】クーポンサーバから直接ユーザに電子クーポンを配布する際に、当該電子クーポンをユニークに識別するためのクーポンコードに、ユーザシリアルＩＤを含めた。更に、当該電子クーポンを所有する正規ユーザが他のユーザに電子クーポンを譲渡又は配布するために、クーポンコードにユーザクーポン通し番号を含めた。更に、電子クーポンを譲渡又は配布する度に、電子クーポンの効果が変化する仕組みを、クーポンサーバの機能として実装した。【選択図】図１
2013089071.tif 000002
【特許請求の範囲】
【請求項１】
電子クーポンが提供するサービスを一意に識別するクーポンサービスを有するクーポンマスタと、
ユーザを一意に識別するユーザシリアルＩＤフィールドを有するユーザマスタと、
前記クーポンサービスと、前記ユーザシリアルＩＤと、ユーザクーポン通し番号よりなるクーポンコードで前記電子クーポンを一意に識別して管理する取得クーポンテーブルと、
第一ユーザが所望する第一の電子クーポンを前記第一ユーザの端末に発行すると共に、前記第一ユーザが所望する第二ユーザに前記第一の電子クーポンに基づく第二の電子クーポンを譲渡するために、前記第一の電子クーポンの前記クーポンコードに含まれる前記ユーザクーポン通し番号を変化させて、新たな前記クーポンコードを有する前記第二の電子クーポンを生成し、前記取得クーポンテーブルに登録する、クーポン管理部と
を具備する商取引促進システム。
【請求項２】
前記取得クーポンテーブルは、前記電子クーポンがもたらす効果に関する情報を格納するクーポン効果情報フィールドを備え、
前記クーポン管理部は、前記第一ユーザが前記第二ユーザに前記第二の電子クーポンを譲渡した際、前記第一の電子クーポンに係る前記取得クーポンテーブルのレコードの前記クーポン効果情報フィールドの内容を更新する、請求項１記載の商取引促進システム。
【発明の詳細な説明】
【技術分野】
【０００１】
本発明は商取引促進システムに関する。
より詳細には、電子クーポンをユーザに提供し、電子商取引のみならず一般商取引を促進する、クーポンサーバを中心とする商取引促進システムに関する。
【背景技術】
【０００２】
インターネットが一般市民に普及したことにより、電子商取引が一般消費者に広く普及していることは周知の通りである。電子商取引の技術が発達することにより、電子商取引で利用できる「電子クーポン」と呼ばれるデータの割引券も普及している。
一般的に電子クーポンと言われるものは、ｗｅｂサイト内にある所定のｈｔｍｌ文書をプリントアウトして店舗等に持参するものや、いわゆる携帯電話と呼ばれる携帯型無線端末の液晶表示画面に表示するもの等が周知である。
特許文献１は、電子クーポンに関する特許出願の一例である。
【先行技術文献】
【特許文献】
【０００３】
【特許文献１】特開２０１１−１２８７７４号公報
【発明の概要】
【発明が解決しようとする課題】
【０００４】
これまでの電子クーポンは、あくまでも電子クーポン配布サイトから直接ユーザに提供されており、ユーザ同士のクーポンの配布を許していない。
また、これまでの電子クーポンは所定の割引率の提供、或は所定の商品等の無料サービス等、予め定められた効果を提供するのみであり、それら定められた効果が変動することはない。
これは転じて、電子クーポンに娯楽性が皆無であることを意味する。
【０００５】
本発明はかかる課題を解決し、娯楽性及び適切且つ適度な射幸性を備える電子クーポンをユーザに提供することにより、電子商取引のみならず一般商取引を促進する、商取引促進システムを提供することを目的とする。
【課題を解決するための手段】
【０００６】
上記課題を解決するために、本発明の商取引促進システムは、電子クーポンが提供するサービスを一意に識別するクーポンサービスを有するクーポンマスタと、ユーザを一意に識別するユーザシリアルＩＤフィールドを有するユーザマスタと、クーポンサービスと、ユーザシリアルＩＤと、ユーザクーポン通し番号よりなるクーポンコードで電子クーポンを一意に識別して管理する取得クーポンテーブルと、第一ユーザが所望する第一の電子クーポンを第一ユーザの端末に発行すると共に、第一ユーザが所望する第二ユーザに第一の電子クーポンに基づく第二の電子クーポンを譲渡するために、第一の電子クーポンのクーポンコードに含まれるユーザクーポン通し番号を変化させて新たなクーポンコードを有する第二の電子クーポンを生成して、取得クーポンテーブルに登録する、クーポン管理部とを具備する。
【０００７】
電子クーポンは、クーポンコードで一意に識別される。クーポンコードは、電子クーポンが提供するサービスを一意に識別するクーポンサービスと、ユーザを一意に識別するユーザシリアルＩＤと、ユーザクーポン通し番号よりなる。電子クーポンをユーザ同士で譲渡する際、ユーザクーポン通し番号が変化する。したがって、クーポンコードの一意性が取得クーポンテーブル上で確保される。
【発明の効果】
【０００８】
本発明により、娯楽性及び適切且つ適度な射幸性を備える電子クーポンをユーザに提供し、電子商取引のみならず一般商取引を促進する、商取引促進システムを提供できる。
【図面の簡単な説明】
【０００９】
【図１】本発明の実施形態に係る商取引促進システムの概略図である。
【図２】クーポンサーバの機能ブロック図である。
【図３】携帯型無線端末の機能ブロック図である。
【図４】クーポンサーバのテーブルのフィールド構成を示す図である。
【図５】クーポンサーバのテーブルのフィールド構成を示す図である。
【図６】携帯型無線端末のテーブルのフィールド構成を示す図である。
【図７】クーポンサーバと携帯型無線端末同士で送受信されるデータのフィールド構成を示す図である。
【図８】ゲストユーザが電子クーポンを使用する迄の処理の流れの概略を示すタイムチャートである。
【図９】お気に入り申請と、お気に入り承認と、電子クーポン配布に至る迄の処理の流れの概略を示すタイムチャートである。
【図１０】クーポンアプリを携帯型無線端末にインストールしたユーザがクーポンアプリを最初に実行した時の初期動作として、ＭＡＣアドレスをクーポンサーバに登録することにより、ゲストユーザとして登録する処理の流れを示すタイムチャートである。
【図１１】ゲストユーザがクーポンサーバに所定の個人情報を登録し、クーポンサービスの正規ユーザとして登録する処理の流れを示すタイムチャートである。
【図１２】正規ユーザがクーポンサーバから所望の電子クーポンをダウンロードする処理の流れを示すタイムチャートである。
【図１３】正規ユーザが他のユーザに直接対面して電子クーポンを譲渡する処理の流れを示すタイムチャートである。
【図１４】正規ユーザから直接対面して電子クーポンを譲り受けたゲストユーザが、当該電子クーポンを使用してＥＣサイトで商品を購入する処理の流れを示すタイムチャートである。
【図１５】ユーザが所有する電子クーポンの一覧をクーポンサーバから取得する処理の流れを示すタイムチャートである。
【図１６】電子クーポンを直接譲り受けたユーザが、電子クーポンを譲ってくれた正規ユーザに対し、お気に入り申請を行う処理の流れを示すタイムチャートである。
【図１７】正規ユーザがお気に入り申請を承認する処理の流れを示すタイムチャートである。
【図１８】正規ユーザが選択した電子クーポンを一人以上のお気に入りユーザにクーポンサーバを経由して配布する処理の流れを示すタイムチャートである。
【図１９】正規ユーザが選択した電子クーポンを一人以上のお気に入りユーザにクーポンサーバを経由して配布する処理の流れを示すタイムチャートである。
【図２０】携帯型無線端末の画面推移を示す概略図である。
【図２１】携帯型無線端末の画面推移を示す概略図である。
【図２２】携帯型無線端末の画面推移を示す概略図である。
【発明を実施するための形態】
【００１０】
［実施形態の概要］
本実施形態では、商取引促進システムを開示する。商取引促進システムは、クーポンサーバ、クーポンを利用するユーザの携帯型無線端末、そして電子商取引サイト或は実店舗で構成される。これらはインターネットを通じて電子クーポンに関するデータの送受信が可能である。
クーポンサーバは会員制の電子クーポンを発行する。正規ユーザはクーポンサーバから直接電子クーポンを取得できる。
これに加え、正規ユーザは他の正規ユーザのみならずゲストユーザに対してもクーポンを配布することができる。したがって、正規ユーザでなくても電子クーポンを利用できる。更に、正規ユーザは他人にクーポンを配布することで、クーポンの割引率が上がる等の恩恵を受ける。
また、電子クーポンをユーザ同士で譲渡する際、電子クーポンにくじ引き等の簡易ゲーム機能を持たせることで、クーポンを配布する意欲（incentive: インセンティブ）が増加する。
このように、電子クーポンに娯楽性と適切且つ適度な射幸性を提供する機能を持たせることで、これまでより電子クーポンの普及を飛躍的に増加させることが期待できる。
【００１１】
［全体構成］
図１は、本発明の実施形態に係る商取引促進システムの概略図である。
商取引促進システム１０１は、クーポンサーバ１０２と、クーポンを利用するユーザの携帯型無線端末１０３と、そして電子商取引サイト（以下「ＥＣサイト」と略）１０４で構成される。これらはインターネット１０５を通じて電子クーポンに関するデータの送受信が可能である。なお、図１では第一ユーザ１０６が携帯型無線端末１０３ａを所持し、第二ユーザ１０７が携帯型無線端末１０３ｂを所持している。これ以降、携帯型無線端末１０３ａ及び携帯型無線端末１０３ｂを総称する際に、携帯型無線端末１０３と記す。
クーポンサーバ１０２は周知のＴＬＳ／ＳＳＬを用いた暗号化通信が可能なｗｅｂサーバであると共に、電子クーポンとこれを利用するユーザを管理するデータベースサーバでもある。クーポンサーバ１０２はクーポンサービス会社が運営する。クーポンサービス会社はクーポンサーバ１０２を通じて、複数の電子商取引サービスを利用する際に使える電子クーポンを提供する、クーポン発行サービスを提供している。
携帯型無線端末１０３は、近年急速に普及しているスマートフォンが好ましい。ユーザ同士で電子クーポンを譲渡する際、タッチパネルを構成する表示画面を指でなぞる操作を行うことで、クーポンサーバ１０２を介した電子クーポンの譲渡を実現する。このような直感的な操作にはタッチパネルを有していることが好ましい。また、スマートフォンには後述する無線ＬＡＮインターフェースが標準的に搭載されているので、クーポンサーバ１０２はユーザ登録の際に無線ＬＡＮインターフェースに付与されているＭＡＣアドレスを利用する。
これ以降、本実施形態においてユーザが使用する携帯型無線端末１０３はスマートフォンであることを前提に説明する。
【００１２】
クーポンサーバ１０２が提供する電子クーポンは、携帯型無線端末１０３にインストールされて実行される、電子クーポン専用のアプリケーションプログラムによって、携帯型無線端末１０３内に保存され、管理される。これ以降、このアプリケーションプログラムを「クーポンアプリ」と称する。
携帯型無線端末１０３は、クーポンアプリを実行することにより、電子クーポンを管理し、またこれを使用する、電子商取引端末として機能する。
【００１３】
図１中、第一ユーザ１０６はクーポンサーバ１０２が提供するクーポン発行サービスの正規ユーザである。第一ユーザ１０６は固有のログインＩＤを持ち、クーポンアプリを用いてクーポンサーバ１０２にログインすることで、クーポンサーバ１０２から直接電子クーポンを入手できる。そして、クーポンサーバ１０２から入手した電子クーポンを、他のユーザに譲り渡すこともできる。この時、電子クーポンは他のユーザに移動するのではなく、電子クーポンの複写（コピー）が他のユーザに譲り渡され、オリジナルの電子クーポンは携帯型無線端末１０３内に残る。
また、正規ユーザである第一ユーザ１０６は、他の正規ユーザから電子クーポンを譲り受けることもできる。
【００１４】
図１中、第二ユーザ１０７はクーポン発行サービスのゲストユーザである。つまり、クーポン発行サービスの正規会員ではなく、携帯型無線端末１０３にクーポンアプリをインストールして実行しただけのユーザである。したがって、第一ユーザ１０６とは異なり、第二ユーザ１０７はクーポンサーバ１０２が提供するクーポン発行サービスにおいて固有のログインＩＤを持たない。このため、クーポンアプリを用いてクーポンサーバ１０２にログインしても、クーポンサーバ１０２から直接電子クーポンを入手できない。
しかし、第二ユーザ１０７は正規ユーザである第一ユーザ１０６から、電子クーポンを譲り受けることができる。そして、譲り受けた電子クーポンは正規ユーザと同様に使用することができるので、第二ユーザ１０７はＥＣサイト１０４にアクセスして、商品１０８を購入する際に購入価格に対する所定の割引サービスを享受できる。
【００１５】
第二ユーザ１０７が第一ユーザ１０６から電子クーポンを譲り受けるには、二通りの方法がある。
一つは、周知のＧＰＳシステムでユーザの存在する地域的範囲を限定した上で、第一ユーザ１０６からクーポンサーバ１０２を通じて、第二ユーザ１０７が電子クーポンを譲り受ける方法である。つまり、第一ユーザ１０６は第二ユーザ１０７に直接対面して、電子クーポンを譲渡する。
もう一つは、予め第一ユーザ１０６が第二ユーザ１０７を自らの「お気に入り」として認識し、クーポンサーバ１０２に登録した上で、第一ユーザ１０６からクーポンサーバ１０２を通じて、「お気に入り」である第二ユーザ１０７に電子クーポンを譲り渡す方法である。つまり、第一ユーザ１０６は第二ユーザ１０７に直接対面することなく、電子クーポンを配布できる。
【００１６】
クーポン発行サービスの正規会員である第一ユーザ１０６が、電子クーポンを他のユーザに配布する際、相応の特典が付帯すると好ましい。そこで、電子クーポンを配布すると、電子クーポンに備わっている効果が変動するように、クーポンサーバ１０２を構成する。一例としては、商品１０８購入の際に適用される割引率を、電子クーポン配布枚数に応じて上昇させる、等である。このように、電子クーポンに備わっている効果を変動させると、ユーザにとってはいわゆる「お得感」が増加するので、電子クーポンを配布する意欲が増加する。
ここで注意すべきは、変動する効果はあくまでも割引率等の、商品１０８購入に係る効果であり、ユーザに対して直接金銭を授受しないことである。電子クーポンの割引率等の上限を適切に設定すれば、法的な安定性を担保しつつ、適度な射幸性も醸しだすことができる。
【００１７】
以上の説明より明らかなように、クーポンサーバ１０２と携帯型無線端末１０３上で稼働するクーポンアプリは、
・会員が非会員に電子クーポンを直接配布する機能と、
・非会員が譲り受けた電子クーポンを利用できる機能と、
・会員が電子クーポンを直接配布した際、電子クーポンの効果が変動する機能と、
・会員が対面していない非会員に電子クーポンを配布する機能
を提供する。
【００１８】
［クーポンサーバ１０２］
図２は、クーポンサーバ１０２の機能ブロック図である。
クーポンサーバ１０２は暗号化通信が可能なｗｅｂサーバであると共に、電子クーポンとこれを利用するユーザを管理するデータベースサーバでもある。ｗｅｂサーバとしての機能は、ｗｅｂサーバプログラム２０１によって提供される。ｗｅｂサーバプログラム２０１はインターネット１０５を通じてユーザの携帯型無線端末１０３から送信される種々の要求を受信し、要求の種類に応じてｃｇｉ（Common Gateway Interface）であるユーザ管理部２０２、クーポン管理部２０３、お気に入り処理部２０４を実行する。
【００１９】
クーポンサーバ１０２は会員制の電子クーポンを発行する。このためクーポンサーバ１０２は、ユーザ管理部２０２を通じて、正規ユーザを登録し、管理するためのユーザマスタ２０５を備える。なお、電子クーポンをゲストユーザにも利用できるようにするため、ユーザマスタ２０５はゲストユーザも管理する機能を備えている。
【００２０】
クーポンサーバ１０２は会員制の電子クーポンを発行すると共に、会員同士又は会員からゲストユーザへの、電子クーポンを譲渡する機能を提供する。このためクーポンサーバ１０２は、クーポン管理部２０３を通じて、クーポン発行会社が発行する電子クーポンを識別するためのクーポンマスタ２０６と、正規ユーザ及びゲストユーザが所有する電子クーポンを管理するための取得クーポンテーブル２０７と、正規ユーザが他の正規ユーザ又はゲストユーザに電子クーポンを配布した事実を記録するための配布クーポンテーブル２０８を備える。
【００２１】
クーポンサーバ１０２はクーポンサーバ１０２自体を通じて、会員が目前に居る会員又はゲストユーザへ、電子クーポンを譲渡する機能を提供する。その際、電子クーポン譲渡元の会員の目前に譲渡相手の会員又はゲストユーザが存在することを確認する必要がある。このためクーポンサーバ１０２は、ＧＰＳシステムでユーザの存在する地域的範囲を限定した上で、ワンタイムパスワードを用いて電子クーポンを譲り受けるための、ワンタイムパスワード認証テーブル２０９を備える。
【００２２】
クーポンサーバ１０２はクーポンサーバ１０２自体を通じて、会員同士又は会員からゲストユーザへの、電子クーポンを配布する機能を提供する。その際、ある会員が電子クーポンを配布しても良いと認める相手を特定できる必要がある。このためクーポンサーバ１０２は、お気に入り処理部２０４を通じて、正規ユーザが認めるお気に入りの相手ユーザを管理すると共に、電子クーポンを直接譲り受けたユーザが自らをお気に入りにして欲しい旨の申請を行うための、お気に入りテーブル２１０を備える。
【００２３】
［携帯型無線端末１０３］
図３は、携帯型無線端末１０３の機能ブロック図である。
スマートフォンである携帯型無線端末１０３は、周知のマイコンで構成される携帯型電子機器である。このマイコンにクーポンアプリを読み込ませ、実行することで、本実施形態の商取引促進システム１０１における電子商取引端末として機能する。
ＬＣＤ（液晶表示装置）である表示部３０１と、ＬＣＤの表面を覆う透明電極の座標入力装置である操作部３０２は、表示部３０１と操作部３０２が重なって組み合わされることで周知のタッチパネル３０３を構成する。表示部３０１と操作部３０２は入出力制御部３０４に接続される。ユーザは操作部３０２を操作することで、入出力制御部３０４を通じて表示部３０１に所定の画面を表示する。
なお、操作部３０２は透明電極の座標入力装置以外に、周知の押釦スイッチやメンブレンスイッチ等も存在するが、それらスイッチ類も操作部３０２に包含されるものとする。
【００２４】
入出力制御部３０４には、携帯電話網に接続するための無線インターフェース３０５と、無線ＬＡＮに接続するための無線ＬＡＮインターフェース３０６と、現在地点の緯度及び経度のデータを得るためのＧＰＳ受信部３０７が接続されている。
入出力制御部３０４は、無線インターフェース３０５と無線ＬＡＮインターフェース３０６のいずれかを用いて、インターネット１０５と、その先に存在するクーポンサーバ１０２及びＥＣサイト１０４に接続する。
また、無線ＬＡＮインターフェース３０６には周知のＭＡＣアドレスを内包する。このＭＡＣアドレスはクーポンサーバ１０２にユーザ登録を行う際に用いられる。
更に、入出力制御部３０４は、
・クーポンアプリの動作状態を決定するための設定ファイル３０８と、
・ユーザが所有する電子クーポンを記録して管理する所有クーポンテーブル３０９と、
・正規ユーザのお気に入りユーザを記録して管理するお気に入りリスト３１０と、
・ユーザがお気に入りとして登録して貰った相手ユーザを記録して管理する被お気に入りリスト３１１と
に対し、情報の読み書きを実行する。
【００２５】
なお、殆どの場合、携帯型無線端末１０３は通話を実現するためのマイクとスピーカを備えるが、本実施形態には無関係なので割愛している。つまり、通話機能がない端末であっても、インターネット１０５に接続でき、クーポンアプリが実行できるコンピュータであればよい。したがって、携帯型無線端末１０３は、近年急速に普及しているタブレット型端末や、ノート型パソコンであってもよい。
【００２６】
［クーポンサーバ１０２のテーブル］
図４及び図５は、クーポンサーバ１０２のテーブルのフィールド構成を示す図である。
ユーザマスタ２０５は、ＭＡＣアドレスフィールドと、ユーザシリアルＩＤフィールドと、ログインＩＤフィールドと、パスワードフィールドと、氏名フィールドと、メールアドレスフィールドと、その他個人情報フィールドを備える。
ＭＡＣアドレスフィールドには、無線ＬＡＮインターフェース３０６のＭＡＣアドレスが格納される。これは、ゲストユーザを一時的に一意に識別するために用いられる。
ユーザシリアルＩＤフィールドには、正規ユーザ及びゲストユーザを一意に識別するための、自然数よりなるユーザシリアルＩＤが格納される。
ログインＩＤフィールドには、正規ユーザがクーポンサーバ１０２のサービスを受けるためにログインする際に使用する、正規ユーザを一意に識別できる英数文字列よりなるログインＩＤが格納される。
パスワードフィールドには、正規ユーザの認証に用いられるパスワード或はそのハッシュ文字列が格納される。
氏名フィールドには正規ユーザの氏名或は本人が希望して登録するニックネームが格納される。
メールアドレスフィールドには正規ユーザのメールアドレスが格納される。
その他個人情報フィールドには正規ユーザの住所や年齢、性別や職業等、種々の個人情報が格納される。なお、これら個人情報の記入はユーザの任意であり、必須ではない。
【００２７】
正規ユーザはログインＩＤフィールドに有意なログインＩＤが格納されている一方、ゲストユーザはログインＩＤフィールドが空欄、或はゲストを示す所定のＩＤが格納されると共に、パスワードフィールド、氏名フィールド、メールアドレスフィールド及びその他個人情報フィールドが空欄である。したがって、ログインＩＤフィールド又はパスワードフィールドを見ることで、当該レコードに係るユーザが正規ユーザかゲストユーザであるかを識別できる。
【００２８】
クーポンマスタ２０６は、クーポン発行会社コードフィールドと、クーポン通し番号フィールドと、有効期限フィールドと、配布条件フィールドと、クーポン効果情報フィールドと、テキストフィールドと、画像フィールドを備える。
クーポン発行会社コードフィールドには、電子クーポンを発行するＥＣサイト１０４を運営する会社を一意に識別する、クーポン発行会社コードが格納される。
クーポン通し番号フィールドには、クーポンマスタ２０６のレコードを一意に識別する、クーポン通し番号が格納される。
これ以降、クーポン発行会社コードとクーポン通し番号を組み合わせた情報を、クーポンサービスと呼ぶ。クーポンサービスとは、「あるクーポン発行会社が提供する一つの電子クーポンによるサービス」を意味する。例えば、「衣料販売会社がＥＣサイト１０４内取扱い商品を１０％割引する」「ファストフード店が特定のハンバーガーを半額割引する」等の、電子クーポンの種類そのものである。
有効期限フィールドには、電子クーポンの有効期限が格納される。
【００２９】
配布条件フィールドには、電子クーポンに関する様々な情報が格納される。例えば、当該電子クーポンは
・変動する割引率を提供するもの（変動割引型電子クーポン）なのか、
・電子クーポン所有者全員に所定の景品を提供するもの（景品提供型電子クーポン）なのか、
・くじ引きや抽選等のゲームやイベント等を伴って、電子クーポン所有者の一部に所定の景品或はサービスを提供するもの（抽選型電子クーポン）なのか、
というような、電子クーポンの種別が格納される。
【００３０】
更に、変動割引型電子クーポンの場合であれば、配布に伴って割引率はどのように変動するのか、初期割引率と最大割引率は何％なのか等の、電子クーポンの条件情報が格納される。
同様に、抽選型電子クーポンの場合は、抽選機能を備えているクーポンアプリであるか否かをチェックするための、必要バージョン情報等が格納される。例えば、クーポンアプリがある時点でバージョンアップする前は抽選機能を備えていないが、バージョンアップによって抽選機能を備えた場合、抽選型電子クーポンはその抽選機能を有するバージョンのクーポンアプリでのみ利用可能である。したがって、バージョンチェックを行って、必要な場合にはクーポンアプリのバージョンアップをユーザに促す必要が生じる。
このように、配布条件フィールドには、電子クーポンがもたらす効果と、その効果に伴う必要な情報が格納される。
【００３１】
クーポン効果情報フィールドには、電子クーポンの効果に関する情報が格納される。前述の変動割引型電子クーポンの場合は、主に初期割引率が格納される。
テキストフィールドには、電子クーポンの詳細情報を携帯型無線端末１０３の表示部３０１に表示する際に、表示部３０１に表示するテキストが格納される。
画像フィールドには、電子クーポンの詳細情報を携帯型無線端末１０３の表示部３０１に表示する際に、表示部３０１に表示する画像が格納される。
なお、テキストフィールド及び画像フィールドは、独立したファイルであってもよい。その場合、ファイル名は一意に識別するために「クーポン発行会社コード＋クーポン通し番号」とすると、当該レコードと容易に紐付けられる。
つまり、クーポンマスタ２０６のレコードを一意に識別する情報は、「クーポン発行会社コード＋クーポン通し番号」の組み合わせ、すなわちクーポンサービスである。
【００３２】
取得クーポンテーブル２０７は、クーポン発行会社コードフィールドと、クーポン通し番号フィールドと、クーポン発行ユーザシリアルＩＤフィールドと、ユーザクーポン通し番号フィールドと、有効期限フィールドと、未使用フラグフィールドと、配布条件フィールドと、クーポン効果情報フィールドと、取得日時フィールドと、クーポン所有者ユーザシリアルＩＤフィールドを備える。
クーポン発行会社コードフィールドと、クーポン通し番号フィールドと、有効期限フィールドと、配布条件フィールドと、クーポン効果情報フィールドは、クーポンマスタ２０６の同名のフィールドと同じ内容である。
【００３３】
クーポン発行ユーザシリアルＩＤフィールドには、クーポンサーバ１０２から電子クーポンを直接受け取った正規ユーザのユーザシリアルＩＤが格納される。
ユーザクーポン通し番号フィールドには、クーポン発行ユーザシリアルＩＤフィールドに記載されているユーザシリアルＩＤの正規ユーザが、他のユーザに当該電子クーポンを配布する際にインクリメントする、通し番号が格納される。オリジナルの電子クーポンの場合、このフィールドの値は「０」であり、当該電子クーポンの最大配布可能枚数がこのフィールドの値の最大値になる。
【００３４】
未使用フラグフィールドには、当該電子クーポンが使用されていないか否かを識別する未使用フラグが格納される。当該電子クーポンが使用されると、未使用フラグフィールドは論理の「真」から「偽」に転換する。したがって、未使用フラグフィールドは状況に応じて内容が変動するフィールドである。
取得日時フィールドには、当該電子クーポンを取得した日時情報が格納される。
クーポン所有者ユーザシリアルＩＤフィールドには、当該ユーザのユーザシリアルＩＤが格納される。
【００３５】
前述のように、クーポン効果情報フィールドには、電子クーポンの効果に関する情報が格納される。前述の変動割引型電子クーポンの場合は、初期値として初期割引率が格納される。その後、正規ユーザが他のユーザに電子クーポンを配布すると、割引率が増加する等の変動が生じるので、このフィールドの内容が変化する。
したがって、クーポン効果情報フィールドも未使用フラグフィールドと同様に、状況に応じて内容が変動するフィールドである。
【００３６】
取得クーポンテーブル２０７のレコードを一意に識別する情報は、「クーポン発行会社コード＋クーポン通し番号＋クーポン発行ユーザシリアルＩＤ＋ユーザクーポン通し番号」の組み合わせである。これ以降、この四つのフィールドの組み合わせを、電子クーポンを一意に識別する情報として「クーポンコード」と称する。クーポンコードは、前述の説明にあったクーポンサービスを内包する。
取得クーポンテーブル２０７は、クーポン所有者ユーザシリアルＩＤフィールドに記載されているユーザ（正規ユーザ及びゲストユーザ）が所有する電子クーポンが記録されている。したがって、取得クーポンテーブル２０７のクーポン所有者ユーザシリアルＩＤフィールドを、所望のユーザシリアルＩＤで絞り込むと、当該ユーザが所有する全ての電子クーポンに関する情報を取得できる。
【００３７】
配布クーポンテーブル２０８は、クーポン発行会社コードフィールドと、クーポン通し番号フィールドと、クーポン発行ユーザシリアルＩＤフィールドと、ユーザクーポン通し番号フィールドと、配布日時フィールドを備える。
クーポン発行会社コードフィールドと、クーポン通し番号フィールドと、クーポン発行ユーザシリアルＩＤフィールドと、ユーザクーポン通し番号フィールド、すなわちクーポンコードは、取得クーポンテーブル２０７の同名のフィールドと同じ内容である。
配布日時フィールドには、当該電子クーポンを譲渡した日時情報が格納される。
配布クーポンテーブル２０８は、クーポン発行ユーザシリアルＩＤフィールドに記載されている正規ユーザが電子クーポンを配布した事実が記録されている。したがって、配布クーポンテーブル２０８のクーポン発行ユーザシリアルＩＤフィールドを、所望のユーザシリアルＩＤで絞り込むと、当該ユーザが他のユーザに配布した全ての電子クーポンに関する情報を取得できる。
【００３８】
図５を参照して、クーポンサーバ１０２のテーブルのフィールド構成の説明を続ける。
お気に入りテーブル２１０は、クーポン発行会社コードフィールドと、クーポン通し番号フィールドと、クーポン発行ユーザシリアルＩＤフィールドと、ユーザクーポン通し番号フィールドと、相手ユーザシリアルＩＤフィールドと、承認済みフラグフィールドと、承認依頼時コメントフィールドと、承認日時フィールドと、登録日時フィールドと、更新日時フィールドと、削除日時フィールドよりなる。
クーポン発行会社コードフィールドと、クーポン通し番号フィールドと、クーポン発行ユーザシリアルＩＤフィールドと、ユーザクーポン通し番号フィールド、すなわちクーポンコードは、取得クーポンテーブル２０７の同名のフィールドと同じ内容である。
相手ユーザシリアルＩＤフィールドには、クーポン発行ユーザシリアルＩＤフィールドに記載されている正規ユーザに対してお気に入りを申請するユーザである相手の、ユーザシリアルＩＤが格納される。
承認済みフラグフィールドには、相手ユーザシリアルＩＤフィールドに記載されている、お気に入りを申請するユーザが、クーポン発行ユーザシリアルＩＤフィールドに記載されている正規ユーザによってお気に入りとして承認されたか否かを示すフラグが格納される。
承認依頼時コメントフィールドには、相手ユーザシリアルＩＤフィールドに記載されている、お気に入りを申請するユーザが、お気に入りを申請する際に相手に添えるテキストメッセージが格納される。
承認日時フィールドには、相手ユーザシリアルＩＤフィールドに記載されている、お気に入りを申請するユーザが、お気に入りを申請した日時が格納される。
登録日時フィールドには、お気に入りユーザを登録した日時が格納される。
更新日時フィールドには、お気に入りユーザを更新した日時が格納される。
削除日時フィールドには、お気に入りユーザを削除した日時が格納される。
【００３９】
ワンタイムパスワード認証テーブル２０９は、クーポン発行会社コードフィールドと、クーポン通し番号フィールドと、クーポン発行ユーザシリアルＩＤフィールドと、ユーザクーポン通し番号フィールドと、クーポン配布ユーザ緯度フィールドと、クーポン配布ユーザ経度フィールドと、ワンタイムパスワードフィールドと、発行日時フィールドと、失効日時フィールドを備える。
クーポン発行会社コードフィールドと、クーポン通し番号フィールドと、クーポン発行ユーザシリアルＩＤフィールドと、ユーザクーポン通し番号フィールド、すなわちクーポンコードは、取得クーポンテーブル２０７の同名のフィールドと同じ内容である。
クーポン配布ユーザ緯度フィールドには、クーポンコードに係る電子クーポンを配布するユーザの現在地を、ＧＰＳで測定した緯度が格納される。
クーポン配布ユーザ経度フィールドには、クーポンコードに係る電子クーポンを配布するユーザの現在地を、ＧＰＳで測定した経度が格納される。
ワンタイムパスワードフィールドには、クーポンコードに係る電子クーポンを配布するユーザが電子クーポンを配布する際に用いるワンタイムパスワードが格納される。
発行日時フィールドには、ワンタイムパスワードフィールドに格納されるワンタイムパスワードを発行した日時が格納される。
失効日時フィールドには、ワンタイムパスワードフィールドに格納されるワンタイムパスワードが失効する日時が格納される。
周知のように、ワンタイムパスワードは有効期間を極短期間に設定することで、セキュリティ面におけるパスワードとしての強度を確保している。本実施形態のワンタイムパスワードも例外ではなく、一例としてワンタイムパスワードの有効期間を１０分に設定している。
【００４０】
［携帯型無線端末１０３のテーブル］
図６は、携帯型無線端末１０３のテーブルのフィールド構成を示す図である。
所有クーポンテーブル３０９は、クーポン発行会社コードフィールドと、クーポン通し番号フィールドと、クーポン発行ユーザシリアルＩＤフィールドと、ユーザクーポン通し番号フィールドと、有効期限フィールドと、未使用フラグフィールドと、配布条件フィールドと、テキストフィールドと、画像フィールドと、取得日時フィールドを備える。
クーポン発行会社コードフィールドと、クーポン通し番号フィールドと、クーポン発行ユーザシリアルＩＤフィールドと、ユーザクーポン通し番号フィールドは、前述のようにクーポンコードである。
有効期限フィールドと、未使用フラグフィールドと、配布条件フィールドと、取得日時フィールドは、取得クーポンテーブル２０７の同名のフィールドと同じ内容である。
テキストフィールドと、画像フィールドは、クーポンマスタ２０６の同名のフィールドと同じ内容である。なお、テキストフィールド及び画像フィールドは、独立したファイルであってもよい。その場合、ファイル名は一意に識別するために「クーポン発行会社コード＋クーポン通し番号」とすると、当該レコードと容易に紐付けられる。
【００４１】
お気に入りリスト３１０は、相手ユーザシリアルＩＤフィールドと、相手氏名又は名称フィールドと、登録年月日フィールドよりなる。
これらフィールドは、お気に入りテーブル２１０の同名のフィールドと同じ内容である。つまり、お気に入りリスト３１０は、お気に入りテーブル２１０を当該携帯型無線端末１０３の所有者のユーザシリアルＩＤで絞り込んだ内容である。
被お気に入りリスト３１１は、相手ユーザシリアルＩＤフィールドと、相手氏名又は名称フィールドと、登録年月日フィールドよりなる。
被お気に入りリスト３１１はその名の通り、お気に入りリスト３１０の逆の立場を記録するテーブルである。つまり、相手ユーザシリアルＩＤフィールドに格納されるユーザシリアルＩＤの正規ユーザが、当該携帯型無線端末１０３の所有者をお気に入りに登録したことを示す。被お気に入りリスト３１１は、既にお気に入り登録をしてくれた相手ユーザに対して、誤って重複してお気に入り申請をしないためのリストである。
【００４２】
［クーポンサーバ１０２と携帯型無線端末１０３同士で送受信されるデータ］
図７は、クーポンサーバ１０２と携帯型無線端末１０３同士で送受信されるデータのフィールド構成を示す図である。
クーポンデータ７０１は、クーポン発行会社コードフィールドと、クーポン通し番号フィールドと、クーポン発行ユーザシリアルＩＤフィールドと、ユーザクーポン通し番号フィールドと、有効期限フィールドと、未使用フラグフィールドと、配布条件フィールドと、テキストフィールドと、画像フィールドを備える。
クーポンデータ７０１の全てのフィールドは、所有クーポンテーブル３０９の同名フィールドと同じ内容である。すなわち、クーポンデータ７０１のフィールドは、所有クーポンテーブル３０９のうち取得日時フィールドがない以外は全て同じである。
【００４３】
取得可能クーポンリスト７０２は、クーポン発行会社コードフィールドと、クーポン通し番号フィールドと、配布条件フィールドと、テキストフィールドと、画像フィールドを備える。
取得可能クーポンリスト７０２の全てのフィールドは、クーポンマスタ２０６の同名フィールドと同じ内容である。すなわち、取得可能クーポンリスト７０２のフィールドは、クーポンマスタ２０６のうち有効期限フィールドと、クーポン効果情報フィールドがない以外は全て同じである。
【００４４】
取得済クーポンリスト７０３は、クーポン発行会社コードフィールドと、クーポン通し番号フィールドと、クーポン発行ユーザシリアルＩＤフィールドと、ユーザクーポン通し番号フィールドと、有効期限フィールドと、未使用フラグフィールドと、配布条件フィールドと、テキストフィールドと、画像フィールドを備える。なお、レコードによってはテキストフィールドと画像フィールドがない場合もある。
取得済クーポンリスト７０３の全てのフィールドは、所有クーポンテーブル３０９の同名フィールドと同じ内容である。すなわち、取得済クーポンリスト７０３のフィールドは、所有クーポンテーブル３０９のうち取得日時フィールドがない以外は全て同じである。
【００４５】
［処理の流れの全体像］
図８は、ゲストユーザが電子クーポンを使用する迄の処理の流れの概略を示すタイムチャートである。これ以降のタイムチャートは全て、時間軸が上から下へ推移する。
先ず、電子クーポンを利用するためには、携帯型無線端末１０３にクーポンアプリをインストールする必要がある。このため、第一ユーザ１０６及び第二ユーザ１０７は夫々、携帯型無線端末１０３用アプリケーションプログラム配布サイト（以下「アプリ配布サイト」）８２１にアクセスして、クーポンアプリをダウンロードし、インストールする（Ｓ８０１、Ｓ８０２）。
【００４６】
次に、第一ユーザ１０６が最初にクーポンアプリを実行すると、クーポンアプリは初期動作としてクーポンサーバ１０２にアクセスし、携帯型無線端末１０３のＭＡＣアドレスをクーポンサーバ１０２に登録する（Ｓ８０３）。こうして、第一ユーザ１０６はクーポンサーバ１０２が提供するクーポン発行サービスのゲストユーザになる。
次に、第二ユーザ１０７も第一ユーザ１０６と同様に、最初にクーポンアプリを実行すると、前述の第一ユーザ１０６の時と同じ処理が行われ、第二ユーザ１０７もクーポンサーバ１０２が提供するクーポン発行サービスのゲストユーザになる（Ｓ８０４）。
その後、第一ユーザ１０６はクーポンアプリ上で所定の操作を経て、クーポンサーバ１０２に所定の個人情報を登録し、クーポン発行サービスの正規ユーザとなる（Ｓ８０５）。
【００４７】
次に、正規ユーザとなった第一ユーザ１０６は、クーポンアプリを通じてクーポンサーバ１０２にアクセスし、所望する電子クーポンをダウンロードする（Ｓ８０６）。そして、ゲストユーザである第二ユーザ１０７に対し、直接対面して、電子クーポンの譲渡を行う（Ｓ８０７）。その際、第一ユーザ１０６が譲渡する電子クーポンは、クーポンアプリを通じて第二ユーザ１０７に譲渡される。この譲渡によって、第一ユーザ１０６が所有する電子クーポンの割引率が上昇するという特典が付与される。
【００４８】
次に、第一ユーザ１０６からクーポンを譲り受けた第二ユーザ１０７は、電子クーポンに埋め込まれているＥＣサイト１０４のＵＲＬ（Uniform Resource Locator）を用いて、ｗｅｂブラウザを起動し、ＥＣサイト１０４にｗｅｂブラウザでアクセスし、譲り受けた電子クーポンによってもたらされる割引率にて、ＥＣサイト１０４上で所望する商品１０８を購入する（Ｓ８０９）。
この間、第二ユーザ１０７がＥＣサイト１０４へアクセスする際にＥＣサイト１０４とクーポンサーバ１０２との間では、第二ユーザ１０７が使おうとする電子クーポンが真正のものか否かを確認するために、電子クーポンの与信が行われる（Ｓ８１０）。そして、商品１０８購入が完遂したら、ＥＣサイト１０４とクーポンサーバ１０２との間では、第二ユーザ１０７が使った電子クーポンに使用済みである旨を記入するめに、電子クーポンの消し込みが行われる（Ｓ８１１）。
【００４９】
第二ユーザ１０７は、電子クーポンを使用した後、クーポンアプリ上で所定の操作を経て、所有する電子クーポンの一覧を確認すると、クーポンサーバ１０２から最新の電子クーポン一覧が返信される（Ｓ８１２）。その際、消し込みが遂行された電子クーポンには「使用済み」である旨を示す情報が含まれる。
【００５０】
図９は、お気に入り申請と、お気に入り承認と、電子クーポン配布に至る迄の処理の流れの概略を示すタイムチャートである。
電子クーポンの譲渡（Ｓ９０１）を受けた第二ユーザ１０７は、電子クーポンに含まれる第一ユーザ１０６のユーザシリアルＩＤを基に、第一ユーザ１０６に対してお気に入りを申請する（Ｓ９０３）。お気に入り申請を示す情報はクーポンサーバ１０２に登録される。第一ユーザ１０６はクーポンサーバ１０２から当該お気に入り申請の情報の存在を知ると、第二ユーザ１０７をお気に入りとして承認する（Ｓ９０４）。
一旦お気に入りとしてクーポンサーバ１０２に登録されれば、第一ユーザ１０６は第二ユーザ１０７に直接会わなくても、クーポンサーバ１０２を通じて所望の電子クーポンを第二ユーザ１０７に配布することができる（Ｓ９０５、Ｓ９０６）。そして、第二ユーザ１０７は、電子クーポンを配布してくれた第一ユーザ１０６が目の前に居なくても、クーポンサーバ１０２にアクセスして配布された電子クーポンを受け取ることができる（Ｓ９０７）。
【００５１】
［ＭＡＣアドレス登録（ゲストユーザ登録）］
図１０は、クーポンアプリを携帯型無線端末１０３にインストールしたユーザがクーポンアプリを最初に実行した時の初期動作として、ＭＡＣアドレスをクーポンサーバ１０２に登録することにより、ゲストユーザとして登録する処理の流れを示すタイムチャートである。図８のステップＳ８０３及びＳ８０４の詳細である。
クーポンアプリが実行されると、入出力制御部３０４は最初にステータスチェックとして、設定ファイル３０８の有無を確認する（Ｓ１００１）。クーポンアプリが一番最初に起動された状態では、設定ファイル３０８が存在しないので、「初期設定を行います」という内容のメッセージを表示部３０１に表示した（Ｓ１００２）後、無線ＬＡＮインターフェース３０６のＭＡＣアドレスをクーポンサーバ１０２に送信する（Ｓ１００３）。
【００５２】
クーポンサーバ１０２のユーザ管理部２０２は、受信したＭＡＣアドレスの重複チェックを行った後、ユーザマスタ２０５に新規レコードとして追記すると共にユーザシリアルＩＤを発行し（Ｓ１００４）、発行したユーザシリアルＩＤを返信する（Ｓ１００５）。
入出力制御部３０４は、クーポンサーバ１０２からユーザシリアルＩＤを受信すると、設定ファイル３０８を作成し、設定ファイル３０８にゲストユーザである旨を示す「ｇｕｅｓｔ」の文字列と、ユーザシリアルＩＤを記載する（Ｓ１００６）。そして、ゲストユーザ用のトップメニュー画面を表示部３０１に表示する（Ｓ１００７）。
【００５３】
［正規ユーザ登録］
図１１は、ゲストユーザがクーポンサーバ１０２に所定の情報を登録し、クーポン発行サービスの正規ユーザとして登録する処理の流れを示すタイムチャートである。図８のステップＳ８０５の詳細である。
第一ユーザ１０６は、表示部３０１にゲストユーザ用のトップメニュー画面が表示部３０１に表示された状態（Ｓ１１０１）から、操作部３０２を操作してユーザ登録を選択する（Ｓ１１０２）と、表示部３０１にはユーザ登録画面が表示される（Ｓ１１０３）。第一ユーザ１０６は操作部３０２を操作して、正規ユーザとして登録するために必要な、ログインＩＤ及びパスワード等の情報を入力した後、「登録」ボタンを押す等の、登録のための操作を行う（Ｓ１１０４）。すると、それら情報は入出力制御部３０４によってクーポンサーバ１０２に送信される（Ｓ１１０５）。
【００５４】
クーポンサーバ１０２のユーザ管理部２０２は当該情報を受信すると、ユーザマスタ２０５に正規ユーザとして登録し（Ｓ１１０６）、登録が正常に終了した旨のリザルトコードを返信する（Ｓ１１０７）。
入出力制御部３０４は、クーポンサーバ１０２からリザルトコードを受信すると、設定ファイル３０８を更新し、設定ファイル３０８にステップＳ１１０５で送信したログインＩＤとパスワードを記載する（Ｓ１１０８）。そして、正規ユーザ登録が完了した旨を示す画面を表示部３０１に表示する（Ｓ１１０９）。
ステップＳ１１０８の時点で、設定ファイル３０８には、図１０のゲストユーザ登録のステップＳ１００６で記録したユーザシリアルＩＤと、ログインＩＤとパスワードが記載されている。クーポンアプリは起動時に設定ファイル３０８の内容を確認し、正規ユーザであるか否かを識別して、表示部３０１に表示する内容を変更する。
【００５５】
［クーポンダウンロード］
図１２は、正規ユーザがクーポンサーバ１０２から所望の電子クーポンをダウンロードする処理の流れを示すタイムチャートである。図８のステップＳ８０６及び図９のステップＳ９０５の詳細である。
正規ユーザとなった第一ユーザ１０６は、電子クーポンをダウンロードするため、トップメニューから取得可能クーポンの一覧を表示する操作を行う（Ｓ１２０１）。すると、取得可能クーポンの一覧を要求するコマンドが、入出力制御部３０４からクーポンサーバ１０２へ送信される（Ｓ１２０２）。
クーポンサーバ１０２のクーポン管理部２０３は、取得可能クーポンの一覧を要求するコマンドを受けると、クーポンマスタ２０６を読み込み、クーポンマスタ２０６から取得可能クーポンリスト７０２を作成して（Ｓ１２０３）、返信する（Ｓ１２０４）。
入出力制御部３０４は、取得可能クーポンリスト７０２を受信すると、表示部３０１に取得可能クーポン一覧を表示する（Ｓ１２０５）。
【００５６】
第一ユーザ１０６は、表示部３０１に表示されている取得可能クーポン一覧から、所望の電子クーポン（クーポンサービス）を選択して、ダウンロードする操作を行う（Ｓ１２０６）。すると、選択された電子クーポンを示すクーポンサービスと、当該クーポンサービスに係る電子クーポンをダウンロードするためのコマンドが、入出力制御部３０４からクーポンサーバ１０２へ送信される（Ｓ１２０７）。
クーポンサーバ１０２のクーポン管理部２０３は、指定された電子クーポンのダウンロードを要求するコマンドを受けると、クーポンマスタ２０６を読み込み、クーポンサービスでレコードを特定する。そして、特定したレコードの内容に基づいて、第一ユーザ１０６に配布するための、第一ユーザ１０６のユーザシリアルＩＤを含むクーポンコードを生成し（Ｓ１２０８）、生成したクーポンコードを含むクーポンデータ７０１を返信する（Ｓ１２０９）。
【００５７】
入出力制御部３０４は、クーポンデータ７０１を受信すると、これを所有クーポンテーブル３０９に追記録する（Ｓ１２１０）。そして、再びステップＳ１２０５と同様に、表示部３０１に取得可能クーポン一覧を表示する（Ｓ１２１１）。
一方、クーポンサーバ１０２のクーポン管理部２０３は、ステップＳ１２０８で生成したクーポンコードを、取得クーポンテーブル２０７に追記録する（Ｓ１２１２）。
【００５８】
［クーポン譲渡］
図１３は、正規ユーザが他のユーザに直接対面して電子クーポンを譲渡する処理の流れを示すタイムチャートである。図８のステップＳ８０７及び図９のステップＳ９０１の詳細である。
正規ユーザである第一ユーザ１０６は、ゲストユーザである第二ユーザ１０７に対して、電子クーポンを譲渡したいと思い立ち、予めダウンロードした電子クーポンを選択し、表示部３０１に詳細表示する（Ｓ１３０１）。そして、第二ユーザ１０７に対して選択した電子クーポンを譲渡する操作を行う（Ｓ１３０２）。
第一ユーザ１０６の携帯型無線端末１０３の入出力制御部３０４は、ステップＳ１３０２の操作を受けて、ワンタイムパスワードをクーポンサーバに要求する（Ｓ１３０３）。そして、表示部３０１に電子クーポンを送信中である旨を示すクーポン送信中表示画面を表示すると共に（Ｓ１３０４）、予めＧＰＳ受信部３０７が算出した現在地点の緯度及び経度と、ステップＳ１３０１で選択した電子クーポンのクーポンコードを伴って、ワンタイムパスワードの送信要求をクーポンサーバ１０２に送信する（Ｓ１３０５）。
【００５９】
クーポンサーバ１０２は、第一ユーザ１０６の携帯型無線端末１０３から送信されたクーポンコードと緯度及び経度とワンタイムパスワードの送信要求を受信すると、先ずワンタイムパスワードを生成する。そして、受信したクーポンコードと緯度及び経度と共にワンタイムパスワード認証テーブル２０９に新規レコードとして追記すると共に、第一ユーザ１０６の携帯型無線端末１０３にワンタイムパスワードを送信する（Ｓ１３０６）。
第一ユーザ１０６の携帯型無線端末１０３の入出力制御部３０４は、クーポンサーバ１０２からワンタイムパスワードを受信すると、これを表示部３０１に表示する（Ｓ１３０７）。
【００６０】
第二ユーザ１０７は、第一ユーザ１０６の携帯型無線端末１０３がワンタイムパスワードを受信したことを受けて、第二ユーザ１０７の携帯型無線端末１０３の操作部３０２を操作して、ワンタイムパスワード入力画面を表示するための操作を行う（Ｓ１３０８）。すると、入出力制御部３０４は表示部３０１にワンタイムパスワード入力画面を表示する（Ｓ１３０９）。
【００６１】
第二ユーザ１０７は、第一ユーザ１０６の携帯型無線端末１０３の表示部３０１に表示されているワンタイムパスワードを読むか、第一ユーザ１０６が読み上げたワンタイムパスワードを聞き取って、操作部３０２を操作して、ワンタイムパスワードを入力する（Ｓ１３１０）。表示部３０１に表示されている「送信」ボタンが押されると、第二ユーザ１０７の携帯型無線端末１０３の入出力制御部３０４は、第二ユーザ１０７のユーザシリアルＩＤと、ステップＳ１３１１で入力されたワンタイムパスワードと、予めＧＰＳ受信部３０７が算出した現在地点の緯度及び経度を、クーポンサーバ１０２へ送信する（Ｓ１３１１）。
【００６２】
クーポンサーバ１０２は、第二ユーザ１０７の携帯型無線端末１０３から送信された、第二ユーザ１０７のユーザシリアルＩＤと、ワンタイムパスワードと、第二ユーザ１０７の携帯型無線端末１０３の現在地点の緯度及び経度を受信すると、ワンタイムパスワード認証テーブル２０９を参照して、それら送信されたデータが電子クーポンを発行するに有効であるか否かを確認する。具体的には、先ず当該ワンタイムパスワードが有効であるか否かを確認する。つまり、ワンタイムパスワードのレコードが存在し、且つ有効な時間内に送信されたものであるか否かを確認する。次に、ワンタイムパスワードが有効であれば、受信した緯度及び経度が、ワンタイムパスワード認証テーブル２０９の当該レコードに記録されている緯度及び経度から所定の距離範囲内であるか否かを確認する。ＧＰＳ測位は測位を行う場所によってその測位精度が大きく変化するので、一例として第一ユーザ１０６の位置から半径５００メートルの範囲内に存在するか否かを確認する。
【００６３】
以上の、ワンタイムパスワードの有効性と、緯度及び経度が所定の距離範囲内であることが満たされれば、クーポンサーバ１０２のクーポン管理部２０３は、ワンタイムパスワード認証テーブル２０９の当該レコードに記載されているクーポンコードを基に、配布用の電子クーポンに係る新たなクーポンコードを生成する。そして、新たに生成したクーポンコードを配布クーポンテーブル２０８に追記録した上で、取得クーポンテーブル２０７にも追記録する。そして、当該電子クーポンに係るクーポンデータ７０１を、第二ユーザ１０７の携帯型無線端末１０３に送信する（Ｓ１３１２）。
【００６４】
第二ユーザ１０７の携帯型無線端末１０３の入出力制御部３０４は、クーポンサーバ１０２からクーポンデータ７０１を受信すると、これを所有クーポンテーブル３０９に追記録する（Ｓ１３１３）。
一方、クーポンサーバ１０２のクーポン管理部２０３は、第一ユーザ１０６が第二ユーザ１０７にクーポンを譲渡したことを受けて、譲渡の基となった電子クーポンに特典を付与する。具体的には、取得クーポンテーブル２０７の該当するレコード（ステップＳ１３０３でクーポンサーバ１０２へ送信したクーポンコードに係るレコード）の、クーポン効果情報フィールドの内容を、所定のルールに従って変更する（Ｓ１３１４）。
【００６５】
ある正規ユーザから他のユーザへ電子クーポンを譲渡すると、クーポンコードのユーザクーポン通し番号が１インクリメントする。譲り受けた電子クーポンのクーポンコードには、譲渡元のユーザのユーザシリアルＩＤ（クーポン発行ユーザシリアルＩＤ）が含まれている。
ゲストユーザが正規ユーザになったら、それまで正規ユーザから貰い受けた電子クーポンを他のユーザにも配布できることが望ましい。そこで、既にゲストユーザの頃に貰った電子クーポンのクーポンコードはそのままに、新たに譲渡する電子クーポンのクーポンコードには、正規ユーザとなった自らのユーザシリアルＩＤを含める。このようにクーポンサーバ１０２がクーポンコードを操作することで、ゲストユーザの頃に貰った電子クーポンを、正規ユーザとなることで他のユーザに配布できるようになる。すると、配布した電子クーポンの枚数だけ、割引率が上がる等の特典が付与されるので、ユーザは正規ユーザの恩恵を受けることができる。
つまり、ゲストユーザがすぐに正規ユーザになりたくなる機能を提示することで、クーポンサーバ１０２が提供するクーポン発行サービスの正規ユーザを効果的に増やすことができる。
【００６６】
［クーポン使用］
図１４は、正規ユーザから直接対面して電子クーポンを譲り受けたゲストユーザが、当該電子クーポンを使用してＥＣサイト１０４で商品１０８を購入する処理の流れを示すタイムチャートである。図８のステップＳ８０９、Ｓ８１０及びＳ８１１の詳細である。
ゲストユーザである第二ユーザ１０７は、正規ユーザである第一ユーザ１０６から譲り受けた電子クーポンを利用するため、先ずクーポン詳細表示画面を表示部３０１に表示させる（Ｓ１４０１）。そして、操作部３０２に対し、電子クーポンを使用する操作を行う（Ｓ１４０２）。
電子クーポンの使用とは、電子クーポンのテキストに含まれているＵＲＬにｗｅｂブラウザでＥＣサイト１０４にアクセスし、ＥＣサイト１０４にて電子クーポンの効果を利用することを意味する。例えば、電子クーポンを用いて、商品１０８を購入する際に所定の割引率の適用を受ける、或は、商品１０８を購入する際に所定の景品の添付を受ける、等である。
入出力制御部３０４は、ステップＳ１４０２の電子クーポン使用操作を受けて、電子クーポンのテキストに含まれているＵＲＬを引数として、ｗｅｂブラウザを起動する（Ｓ１４０３）。この時、クーポンアプリは終了する。
ＵＲＬにはＥＣサイト１０４のｃｇｉと、その引数として電子クーポンのクーポンコードが記述されている。一例としては、以下のようなＵＲＬ文字列である。
【００６７】
ＥＣサイト１０４はＧＥＴメソッドで得たクーポンコードを抽出する（Ｓ１４０４）と、ＥＣサイト１０４は当該クーポンコードが真正のものか否かを確認するため、クーポンサーバ１０２に問い合わせる（Ｓ１４０５）。これがクーポン与信要求である。
クーポンサーバ１０２のクーポン管理部２０３は、クーポン与信要求を受けると、取得クーポンテーブル２０７を検索して、に問い合わせ対象のクーポンコードがあるか否かを確認する（Ｓ１４０６）。問い合わせ対象のクーポンコードが存在することが判明したら、クーポン管理部２０３は当該クーポンコードは真正のものである旨のメッセージと、クーポンの効果情報をＥＣサイト１０４へ返信する。当該電子クーポンは割引率等の効果情報が変化している可能性があるので、電子クーポン使用時点における電子クーポンの効果情報をＥＣサイト１０４へ送信することは必須である。
【００６８】
ＥＣサイト１０４は、クーポンサーバ１０２から返信されたクーポン与信結果とクーポン効果情報を受けて、当該電子クーポンを適用した、商品１０８購入のためのｈｔｍｌ文書を作成し、携帯型無線端末１０３へ送信する（Ｓ１４０７）。携帯型無線端末１０３は、ＥＣサイト１０４から受信した、電子クーポンが適用されたｈｔｍｌ文書を表示する（Ｓ１４０８）。
【００６９】
なお、ステップＳ１４０８において、電子クーポンが適用されたｈｔｍｌ文書によって表示部３０１に表示されるクーポン適用画面は、電子クーポンの効果情報等で変化する。例えば、特定の商品１０８に対してのみ所定の割引率が適用される場合は、当該商品１０８のｗｅｂページを表示する際に、価格が電子クーポン適用後の価格となる。一方、複数の商品１０８を購入し、その合計金額が所定の金額以上となった時に所定の割引率が適用される場合は、最終的な決済のｗｅｂページを表示する際に、価格が電子クーポン適用後の価格となる。
【００７０】
第二ユーザ１０７は、操作部３０２に対し、商品１０８を購入する操作を行う（Ｓ１４０９）。第二ユーザ１０７の操作によって発生した商品１０８購入要求情報は、ＥＣサイト１０４に送信される。ＥＣサイト１０４は、受信した商品１０８購入要求情報に基づいて、電子クーポンを適用した商品１０８販売処理を行う（Ｓ１４１０）。
ＥＣサイト１０４の処理結果を受けて、携帯型無線端末１０３はｗｅｂブラウザを終了する（Ｓ１４１１）。
【００７１】
一方、ＥＣサイト１０４はステップＳ１４１０にて電子クーポンが使用されたことを受け、クーポンサーバ１０２に対し、当該電子クーポンが使用されたことを報告する、クーポン消し込み要求を送信する（Ｓ１４１２）。
クーポンサーバ１０２のクーポン管理部２０３はクーポン消し込み要求を受けて、取得クーポンテーブル２０７を検索し、当該電子クーポンに係るレコードの未使用フラグフィールドを論理の「偽」に変更する、クーポン消し込み処理を行う（Ｓ１４１３）。
【００７２】
［取得済クーポン一覧要求］
図１５は、ユーザが所有する電子クーポンの一覧をクーポンサーバ１０２から取得する処理の流れを示すタイムチャートである。図８のステップＳ８１２及び図９のステップＳ９０７の詳細である。
ユーザ１０２１は操作部３０２を操作して、クーポンサーバ１０２に対して取得済クーポンの一覧を要求する操作を行う（Ｓ１５０１）と、入出力制御部３０４は所有クーポンテーブル３０９に存在する全レコードのうち、未使用フラグが論理の「真」であるレコードのクーポンコードを抽出し、取得済みクーポン一覧要求コマンドと共に送信する（Ｓ１５０２）。ここで、未使用フラグが論理の「真」であるレコードのクーポンコードのリストを、「クーポンリスト」と呼ぶ。
【００７３】
携帯型無線端末１０３から送信された取得済みクーポン一覧要求コマンドとクーポンリスト（Ｓ１５０３）は、クーポンサーバ１０２のクーポン管理部２０３が受信する。クーポン管理部２０３は、取得クーポンテーブル２０７をクーポンリストと突き合わせてクーポンリストを更新した後、携帯型無線端末１０３のユーザシリアルＩＤ又はＭＡＣアドレスで絞り込み検索し、クーポンリストにないレコードをクーポンリストに追記録する。そして、更新されたクーポンリストを携帯型無線端末１０３に返信する（Ｓ１５０４）。
【００７４】
クーポンサーバ１０２によって更新されたクーポンリスト（Ｓ１５０５）は、携帯型無線端末１０３が受信する。入出力制御部３０４は、クーポンリストを所有クーポンテーブル３０９にマージし、更新する（Ｓ１５０６）。そして、所有クーポンテーブル３０９から取得済クーポン一覧表示を表示部３０１に表示する（Ｓ１５０７）。
【００７５】
［お気に入り申請］
図１６は、電子クーポンを直接譲り受けたユーザが、電子クーポンを譲ってくれた正規ユーザに対し、お気に入り申請を行う処理の流れを示すタイムチャートである。図９のステップＳ９０３の詳細であると共に、図１３のクーポン譲渡の後の処理になる。
正規ユーザから電子クーポンを直接譲り受けると、入出力制御部３０４は表示部３０１にクーポン受信完了を示すメッセージを表示する（Ｓ１６０１）。その後、ユーザ１０２１が操作部３０２を操作して所定の画面遷移操作を行う（Ｓ１６０２）と、入出力制御部３０４は表示部３０１にお気に入り申請画面を表示する（Ｓ１６０３）。
ユーザ１０２１は操作部３０２を操作して、お気に入りを申請するためのメッセージ等を入力した後、申請を実行する操作を行う（Ｓ１６０４）。すると、入出力制御部３０４は表示部３０１にお気に入り申請情報を送信中である旨の画面を表示した（Ｓ１６０５）後、お気に入り申請メッセージを送信する（Ｓ１６０６）。
お気に入り申請メッセージとは、ステップＳ１６０１にて表示した電子クーポンのクーポンコードと、ステップＳ１６０４にて入力したテキストメッセージと、ユーザシリアルＩＤである。
【００７６】
クーポンサーバ１０２のお気に入り処理部２０４は、お気に入り申請メッセージを受信すると、お気に入りテーブル２１０と、取得クーポンテーブル２０７を参照する。具体的には、お気に入り申請メッセージに含まれているクーポンコードが取得クーポンテーブル２０７に存在するか否かを確認する。もし、取得クーポンテーブル２０７に、お気に入り申請メッセージに含まれているクーポンコードのレコードが存在していれば、当該お気に入り申請メッセージは、譲渡された電子クーポンのクーポンコードに基づいて作成された、真正のお気に入り申請情報である。そこで、このお気に入り申請メッセージをお気に入りテーブル２１０に追記録する（Ｓ１６０７）。そして、正常に追記録できた旨のリザルトコードを携帯型無線端末１０３に返信する。
リザルトコードを受信した携帯型無線端末１０３の入出力制御部３０４は、表示部３０１にお気に入り申請情報の送信を完了した旨の画面を表示する（Ｓ１６０８）。
なお、図１６にて説明したお気に入り申請処理は、取得済みクーポン一覧画面からも実行できる。
【００７７】
［お気に入り承認］
図１７は、正規ユーザがお気に入り申請を承認する処理の流れを示すタイムチャートである。図９のステップＳ９０４の詳細である。
電子クーポンの譲渡を行った正規ユーザが、携帯型無線端末１０３の表示部３０１にお気に入り一覧を表示させるための操作を行う（Ｓ１７０１）と、入出力制御部３０４はお気に入りリスト３１０を要求するコマンドを、クーポンサーバ１０２に送信する（Ｓ１７０２）。
【００７８】
クーポンサーバ１０２のお気に入り処理部２０４は、お気に入りリスト３１０を要求するコマンドを受信すると、要求されたお気に入り申請情報を携帯型無線端末１０３へ返信する（Ｓ１７０３）。
【００７９】
携帯型無線端末１０３の入出力制御部３０４は、クーポンサーバ１０２から送信されたお気に入り申請情報（Ｓ１７０４）を受信して、表示部３０１に表示する（Ｓ１７０５）。正規ユーザは操作部３０２を操作して、表示部３０１に表示されたお気に入り申請ユーザのうち、お気に入りに設定しても良いと思ったユーザ１０２１の氏名等を選択し、お気に入りとして承認するための操作を行う（Ｓ１７０６）。
入出力制御部３０４は、操作部３０２からお気に入り承認のための操作情報を受けて、選択されたユーザ１０２１のクーポンコードを送信する（Ｓ１７０７）。
【００８０】
クーポンサーバ１０２のお気に入り処理部２０４は、クーポンコードを受信すると、当該クーポンコードでお気に入りテーブル２１０のレコードを特定し、特定したレコードの承認済みフラグフィールドを論理の「真」に設定する（Ｓ１７０８）。
次に、お気に入り処理部２０４はお気に入りテーブル２１０を正規ユーザのユーザシリアルＩＤで絞り込み検索して、正規ユーザのお気に入りリスト３１０を作成する（Ｓ１７０９）。
クーポンサーバ１０２から送信されたお気に入りリスト３１０（Ｓ１７１０）は、携帯型無線端末１０３の入出力制御部３０４によって受信される。入出力制御部３０４は、表示部３０１にお気に入り一覧を表示する（Ｓ１７１１）。
【００８１】
［クーポン配布］
図１８及び図１９は、正規ユーザが選択した電子クーポンを一人以上のお気に入りユーザにクーポンサーバ１０２を経由して配布する処理の流れを示すタイムチャートである。図９のステップＳ９０６の詳細である。
正規ユーザは、お気に入りユーザに配布したい電子クーポンの詳細を表示部３０１に表示させた状態（Ｓ１８０１）で、操作部３０２を操作して、電子クーポンをお気に入りユーザに配布するための操作を行う（Ｓ１８０２）。入出力制御部３０４は、表示部３０１に電子クーポンを直接譲渡するか或はクーポンサーバ１０２を経由して配布するかを選択するための画面を表示する（Ｓ１８０３）。そして、正規ユーザは操作部３０２を操作して、クーポンサーバ１０２を経由して電子クーポンをお気に入りに配布することを指示する操作を行う（Ｓ１８０４）。
【００８２】
入出力制御部３０４は、操作部３０２から電子クーポンをお気に入りに配布することを指示する操作情報を受けて、クーポンサーバ１０２に対し、お気に入りリスト３１０を要求するコマンドを送信する（Ｓ１８０５）。クーポンサーバ１０２のお気に入り処理部２０４は、お気に入りリスト３１０を要求するコマンドを受信すると、お気に入りテーブル２１０を参照し、お気に入りリスト３１０を作成して（Ｓ１８０６）、携帯型無線端末１０３に返信する（Ｓ１８０７）。
携帯型無線端末１０３の入出力制御部３０４は、お気に入りリスト３１０を受信すると表示部３０１にお気に入りユーザの一覧を表示する（Ｓ１８０８）。
【００８３】
正規ユーザは操作部３０２を操作して、表示部３０１に表示されているお気に入りユーザの一覧から、電子クーポンを配布したいユーザ１０２１を選択する（Ｓ１８０９）。そして、選択したお気に入りユーザを送信する操作を行うと、入出力制御部３０４は表示部３０１に電子クーポンを配布するお気に入りユーザ（配布先）のリストを送信中である旨の画面を表示する（Ｓ１８１０）。
【００８４】
図１９を参照して、処理の流れの説明を続ける。
ステップＳ１８１０でお気に入りユーザのリストを送信中である旨の画面を表示部３０１に表示した後、入出力制御部３０４は、それら選択されたユーザ１０２１に対し、配布する電子クーポンのクーポンコードを生成する（Ｓ１９１１）。生成するクーポンコードは、生成元となる電子クーポンのクーポンコードから、ユーザクーポン通し番号のみ１ずつインクリメントすることで生成する。
【００８５】
ステップＳ１９１１にて入出力制御部３０４が生成したクーポンコードと電子クーポン配布先のユーザシリアルＩＤは、紐付けられた状態、つまりテーブルとしてクーポンサーバ１０２に送信される（Ｓ１９１２）。       
クーポンサーバ１０２のクーポン管理部２０３は、このテーブルを受信すると、クーポンコードを配布クーポンテーブル２０８に登録した上で、クーポンコードとユーザシリアルＩＤを取得クーポンテーブル２０７に登録する（Ｓ１９１３）。そして、配布クーポンテーブル２０８に追記録したレコード数に応じて、その基となった電子クーポンである取得クーポンテーブル２０７のレコードに、特典を付与する（Ｓ１９１４）。
【００８６】
ステップＳ１９１４にて特典付与処理を行ったことによって、取得クーポンテーブル２０７に記録されている、電子クーポン配布元となった電子クーポンのレコードの内容は更新されているので、クーポン管理部２０３は更新されたレコードの内容（クーポンデータ７０１）を携帯型無線端末１０３に送信する（Ｓ１９１５）。
携帯型無線端末１０３の入出力制御部３０４は、受信したクーポンデータ７０１を以て、所有クーポンテーブル３０９の該当レコードを上書きする（Ｓ１９１６）。そして、表示部３０１に配布先の送信を完了した旨のメッセージを表示して（Ｓ１９１７）、所定時間（例えば０．５秒間）経過後、表示部３０１に電子クーポンの詳細を表示する（Ｓ１９１８）。
【００８７】
［画面推移］
図２０は、携帯型無線端末１０３の画面推移を示す概略図である。また、この画面の推移を示す図２０は、画面の状態遷移図でもある。
クーポンアプリを起動すると、携帯型無線端末１０３の表示部３０１にはトップメニュー画面Ｐ２００１が表示される。
トップメニュー画面Ｐ２００１の一番上にある「取得可能クーポン」ボタンを操作すると、携帯型無線端末１０３の表示部３０１には取得可能クーポン一覧画面Ｐ２００２が表示される。取得可能クーポン一覧画面Ｐ２００２には、取得可能な電子クーポンが一覧表示される。
【００８８】
取得可能クーポン一覧画面Ｐ２００２において、表示部３０１の左上隅に表示されている、図示しない「戻る」ボタンを押す操作を行うと、トップメニュー画面Ｐ２００１が表示部３０１に表示される。
取得可能クーポン一覧画面Ｐ２００２において、表示されている電子クーポンの内の一つを選択する操作を行うと、選択した電子クーポンが未取得の電子クーポンであれば、取得可能クーポン詳細画面Ｐ２００３が表示部３０１に表示される。取得可能クーポン詳細画面Ｐ２００３には、取得可能クーポン一覧画面Ｐ２００２において選択した、取得可能な電子クーポンの詳細情報と、ダウンロードボタン２０５１が表示される。
取得可能クーポン一覧画面Ｐ２００２において、表示されている電子クーポンの内の一つを選択する操作を行うと、選択した電子クーポンが取得済みの電子クーポンであれば、取得済みクーポン詳細画面Ｐ２００４が表示部３０１に表示される。取得済みクーポン詳細画面Ｐ２００４には、取得可能クーポン一覧画面Ｐ２００２において選択した、取得済みの電子クーポンの詳細情報と、使うボタン２０５２と配るボタン２０５３が表示される。
【００８９】
取得可能クーポン詳細画面Ｐ２００３において、表示部３０１の左上隅に表示されている、図示しない「戻る」ボタンを押す操作を行うと、取得可能クーポン一覧画面Ｐ２００２が表示部３０１に表示される。
取得可能クーポン詳細画面Ｐ２００３において、表示されている電子クーポンを上下に移動する操作を行うと、取得可能クーポン一覧画面Ｐ２００２にて表示部３０１に表示されていた電子クーポン一覧の、次の電子クーポン又は前の電子クーポンの詳細情報が表示される。その際、未取得の電子クーポンであれば、取得可能クーポン詳細画面Ｐ２００３が表示され、取得済みの電子クーポンであれば、取得済みクーポン詳細画面Ｐ２００４が表示される。
取得可能クーポン詳細画面Ｐ２００３において、ダウンロードボタン２０５１を押す操作を行うと、その時点で表示部３０１に表示中の電子クーポンをダウンロードすると共に、クーポンダウンロード中画面Ｐ２００５が表示される。電子クーポンのダウンロードが完遂すると、取得済みクーポン詳細画面Ｐ２００４が表示される。
【００９０】
トップメニュー画面Ｐ２００１の上から二番目にある「取得済クーポン」ボタンを操作すると、携帯型無線端末１０３の表示部３０１には取得済みクーポン一覧画面Ｐ２００６が表示される。取得済みクーポン一覧画面Ｐ２００６には、取得済みの電子クーポンが一覧表示される。一覧表示されている取得済みの電子クーポンのうちの一つを選択する操作を行うと、取得済みクーポン詳細画面Ｐ２００４が表示される。
取得済みクーポン一覧画面Ｐ２００６において、表示部３０１の左上隅に表示されている、図示しない「戻る」ボタンを押す操作を行うと、トップメニュー画面Ｐ２００１が表示部３０１に表示される。
【００９１】
取得済みクーポン詳細画面Ｐ２００４において、表示部３０１の左上隅に表示されている、図示しない「戻る」ボタンを押す操作を行うと、取得済みクーポン一覧画面Ｐ２００６が表示部３０１に表示される。
取得済みクーポン詳細画面Ｐ２００４において、表示されている電子クーポンを上下に移動する操作を行うと、取得済みクーポン一覧画面Ｐ２００６にて表示部３０１に表示されていた電子クーポン一覧の、次の電子クーポン又は前の電子クーポンの詳細情報が表示される。
取得済みクーポン詳細画面Ｐ２００４において、表示されている電子クーポンを左右に移動する操作を行うと、クーポン裏面画面Ｐ２００７が表示される。クーポン裏面画面Ｐ２００７は、取得済みクーポン詳細画面Ｐ２００４にて表示されている電子クーポンの裏面を示す画像とテキストを表示する画面である。
クーポン裏面画面Ｐ２００７において、表示されている電子クーポンの裏面を左右に移動する操作を行うと、取得済みクーポン詳細画面Ｐ２００４が表示される。
【００９２】
取得済みクーポン詳細画面Ｐ２００４において、使うボタン２０５２を押す操作を行うと、クーポンアプリが終了し、代わりにｗｅｂブラウザが起動する。ｗｅｂブラウザは選択した電子クーポンに係るＥＣサイト１０４にアクセスし、ＥＣサイト１０４の画面Ｐ２００８が表示部３０１に表示される。こうして、電子クーポンを用いた電子商取引が可能になる。所定の電子商取引が終了すると、再びクーポンアプリが起動され、トップメニュー画面Ｐ２００１が表示部３０１に表示される。
【００９３】
取得済みクーポン詳細画面Ｐ２００４において、配るボタン２０５３を押す操作を行うと、クーポン配布用画面Ｐ２００９が表示部３０１に表示される。クーポン配布用画面Ｐ２００９には、譲渡ボタン２０５５と配布ボタン２０５６が表示されている。
クーポン配布用画面Ｐ２００９において、譲渡ボタン２０５５を押すと、ＧＰＳ受信部３０７による現在地点情報とワンタイムパスワードを用いて、クーポンサーバ１０２を経由して目前の相手方に対してクーポンデータ７０１を送信する。つまり、電子クーポンを譲渡する。クーポンコードの送信中は、クーポン送信中画面Ｐ２０１０が表示部３０１に表示される。クーポンコードの送信を完遂すると、ワンタイムパスワード表示画面Ｐ２０１１が表示部３０１に表示される。ワンタイムパスワード表示画面Ｐ２０１１は、クーポンサーバ１０２から受信したワンタイムパスワードを表示部３０１に表示する画面である。
ワンタイムパスワード表示画面Ｐ２０１１に表示されている確認ボタン２０５４を押すと、取得済みクーポン一覧画面Ｐ２００６が表示部３０１に表示される。
【００９４】
クーポン配布用画面Ｐ２００９において、配布ボタン２０５６を押す操作を行うと、後述する画面遷移を経て、送信完了確認画面Ｐ２０１２が表示部３０１に表示される。
送信完了確認画面Ｐ２０１２に表示されている確認ボタン２０５７を押すと、取得済みクーポン一覧画面Ｐ２００６が表示部３０１に表示される。
【００９５】
トップメニュー画面Ｐ２００１の上から三番目にある「クーポン受信」ボタンを操作すると、携帯型無線端末１０３の表示部３０１にはワンタイムパスワード入力画面Ｐ２０１４が表示される。このワンタイムパスワード入力画面Ｐ２０１４では、電子クーポンを譲渡してくれる正規ユーザから、ワンタイムパスワードを教えて貰い、ワンタイムパスワードを入力する。この時、ＧＰＳ受信部３０７が起動され、現在地点情報（緯度及び経度）が得られる。ワンタイムパスワードと現在地点情報をクーポンサーバ１０２へ送信すると、クーポンサーバからクーポンデータ７０１が返送される。クーポンデータ７０１の受信を完遂すると、受信完了確認画面Ｐ２０１５が表示部３０１に表示された後、後述する画面遷移を経て、トップメニュー画面Ｐ２００１が表示部３０１に表示される。
【００９６】
トップメニュー画面Ｐ２００１の上から四番目にある「お気に入り」ボタンを操作すると、携帯型無線端末１０３の表示部３０１にはお気に入りユーザ一覧画面Ｐ２０１６が表示される。この、お気に入りユーザ一覧画面Ｐ２０１６から、お気に入りユーザの承認や削除等の管理を行う。
お気に入りユーザ一覧画面Ｐ２０１６において、表示部３０１の左上隅に表示されている、図示しない「戻る」ボタンを押す操作を行うと、トップメニュー画面Ｐ２００１が表示部３０１に表示される。
【００９７】
図２１は、携帯型無線端末１０３の画面推移を示す概略図である。図２１は、図２０に記述しきれなかった画面推移を示す。この画面の推移を示す図２１も図２０と同様に、画面の状態遷移図でもある。
クーポン配布用画面Ｐ２００９において、配布ボタン２０５６を押す操作を行うと、お気に入りユーザ一覧画面Ｐ２１０１が表示される。お気に入りユーザ一覧画面Ｐ２１０１には、お気に入りユーザが一覧表示されると共に、送信ボタン２１５１が表示されている。
一覧表示されているお気に入りユーザから、取得済みクーポン詳細画面Ｐ２００４で表示した電子クーポンを配布したいユーザ１０２１を一人以上選択して、送信ボタン２１５１を押すと、クーポンサーバ１０２に対して配布したい電子クーポンのクーポンコードと、選択したユーザ１０２１のユーザシリアルＩＤが送信される。クーポンコードと、選択したユーザ１０２１のユーザシリアルＩＤを送信している時は、表示部３０１にはクーポン配布中画面Ｐ２１０２が表示部３０１に表示され、送信が終わると、送信完了確認画面Ｐ２０１２が表示部３０１に表示される。
【００９８】
図２２は、携帯型無線端末１０３の画面推移を示す概略図である。図２２は、図２０に記述しきれなかった画面推移を示す。この画面の推移を示す図２２も図２０及び図２１と同様に、画面の状態遷移図でもある。
【００９９】
図２２は、電子クーポンを受信した際の、詳細な画面推移を示す。図２０のワンタイムパスワード入力画面Ｐ２０１４から受信完了確認画面Ｐ２０１５を経てトップメニュー画面Ｐ２００１に戻る迄の詳細な画面推移である。
トップメニュー画面Ｐ２００１の上から三番目にある「クーポン受信」ボタンを操作すると、携帯型無線端末１０３の表示部３０１にはワンタイムパスワード入力画面Ｐ２０１４が表示される。このワンタイムパスワード入力画面Ｐ２０１４では、電子クーポンを譲渡してくれる正規ユーザから、ワンタイムパスワードを教えて貰い、ワンタイムパスワードを入力する。この時、ＧＰＳ受信部３０７が起動され、現在地点情報（緯度及び経度）が得られる。ワンタイムパスワードと現在地点情報をクーポンサーバ１０２へ送信すると、クーポンサーバからクーポンデータ７０１が返送される。クーポンデータ７０１の受信を完遂すると、受信完了確認画面Ｐ２０１５が表示部３０１に表示される。
受信完了確認画面Ｐ２０１５の下には、お気に入り申請チェックボックス２２２１が表示されている。お気に入り申請チェックボックス２２２１は、初期状態で既にチェックが入っている状態で表示される。つまり、初期状態で既に「クーポンを譲渡してくれた相手に対し、お気に入りの申請を行う」、つまりユーザ１０２１同士のお気に入りを増やすことを意図している。このお気に入り申請チェックボックス２２２１のチェックを外さずに、受信完了確認画面Ｐ２０１５を叩くと、お気に入り申請画面Ｐ２２０１が表示部３０１に表示される。
なお、お気に入り申請チェックボックス２２２１のチェックを外して受信完了確認画面Ｐ２０１５を叩くと、トップメニュー画面Ｐ２００１が表示部３０１に表示される。
【０１００】
お気に入り申請画面Ｐ２２０１には、電子クーポンを譲渡してくれた相手に対してお気に入りユーザとして登録して欲しい旨のメッセージを書き込むための、テキスト入力欄２２２２が設けられている。ユーザ１０２１はテキスト入力欄２２２２にメッセージを書き込んだ後にお気に入り申請画面Ｐ２２０１を叩くと、携帯型無線端末１０３はクーポンコードと共に当該メッセージのテキストデータをクーポンサーバ１０２に送信する。その際、クーポンコードとテキストデータを送信している間は、お気に入り申請情報送信中画面Ｐ２２０２を表示部３０１に表示し、送信が終了したら、お気に入り申請情報送信完了画面Ｐ２２０３を所定時間（一例として０．５秒間）だけ表示した後、トップメニュー画面Ｐ２００１を表示部３０１に表示する。
【０１０１】
上述の実施形態の他、以下のような応用例が考えられる。
（１）クーポンコードのクーポン発行会社コードは、クーポン通し番号がクーポンマスタ２０６においてユニークであれば、必ずしもクーポンコード内に存在しなくてもよい。
クーポンコードの思想は「クーポンサービス＋クーポン発行ユーザシリアルＩＤ＋ユーザクーポン通し番号」である。クーポンコードとは、電子クーポンがもたらすサービスを一意に識別するクーポンサービスと、当該クーポンサービスに属する電子クーポンを一意に識別するクーポン発行ユーザシリアルＩＤ及びユーザクーポン通し番号の組み合わせである。
【０１０２】
（２）ユーザ同士が直接会って電子クーポンを譲渡する方法としては、ＢｌｕｅＴｏｏｔｈ（登録商標）等の近距離無線インターフェースを用いる方法もある。この場合、クーポンサーバ１０２を経由せずに電子クーポンのクーポンデータをユーザ同士でやり取りすることとなるので、電子クーポンの譲渡を行った後、譲渡を行った正規ユーザが譲渡した電子クーポンのクーポンコードと譲渡相手のユーザシリアルＩＤを取得クーポンテーブル２０７及び配布クーポンテーブル２０８に追記録する、「クーポン有効化処理」が必要になる。
【０１０３】
（３）更に、電子クーポンの譲渡方法を、前述の実施形態にて用いたワンタイムパスワードの方法と、近距離無線インターフェースを用いる方法とを混在させることも可能である。ＢｌｕｅＴｏｏｔｈ（登録商標）の場合、現時点では一部の異機種同士のデータ送受信に非互換性が存在することが判明している。したがって、最初に近距離無線インターフェースを試みて、通信が失敗した場合にはワンタイムパスワードを用いる、という実施形態も可能である。
【０１０４】
（４）ゲストユーザ登録の際に用いるＭＡＣアドレスの代わりに、携帯型無線端末に設けられているデバイスＩＤを用いることもできる。これら情報は、携帯型無線端末を一意に識別する、個体識別情報として用いられる。
【０１０５】
本実施形態では、商取引促進システム１０１を開示した。
クーポンサーバから直接ユーザに電子クーポンを配布する際に、当該電子クーポンをユニークに識別するためのクーポンコードに、ユーザシリアルＩＤを含めた。更に、当該電子クーポンを所有する正規ユーザが他のユーザに電子クーポンを譲渡（他のユーザと直接対面して電子クーポンを譲渡する）又は配布（他のユーザと直接対面せずに電子クーポンを配布する）するために、クーポンコードにユーザクーポン通し番号を含めた。更に、電子クーポンを譲渡又は配布する度に、電子クーポンの効果が変化する仕組みを、クーポンサーバの機能として実装した。
このような、電子クーポンのクーポンコードの構造と、クーポンサーバの機能によって、電子クーポンは効果的にユーザに広まり、クーポン発行サービスの正規ユーザを増加させることが期待できる。また、これまでの電子クーポンとは明らかに異なる様々なバリエーションの機能を有することで、結果的に電子クーポンを介してクーポンサーバが提供するクーポン発行サービスを伴う電子商取引や実店舗の商取引が促進される。
【０１０６】
以上、本発明の実施形態例について説明したが、本発明は上記実施形態例に限定されるものではなく、特許請求の範囲に記載した本発明の要旨を逸脱しない限りにおいて、他の変形例、応用例を含む。
【符号の説明】
【０１０７】
１０１…商取引促進システム、１０２…クーポンサーバ、１０３…携帯型無線端末、１０４…ＥＣサイト、１０５…インターネット、１０６…第一ユーザ、１０７…第二ユーザ、１０８…商品、２０１…ｗｅｂサーバプログラム、２０２…ユーザ管理部、２０３…クーポン管理部、２０４…入り処理部、２０５…ユーザマスタ、２０６…クーポンマスタ、２０７…取得クーポンテーブル、２０８…配布クーポンテーブル、２０９…ワンタイムパスワード認証テーブル、２１０…入りテーブル、３０１…表示部、３０２…操作部、３０３…タッチパネル、３０４…入出力制御部、３０５…無線インターフェース、３０６…無線ＬＡＮインターフェース、３０７…ＧＰＳ受信部、３０８…設定ファイル、３０９…所有クーポンテーブル、３１０…お気に入りリスト、３１１…被お気に入りリスト、７０１…クーポンデータ、７０２…取得可能クーポンリスト、７０３…取得済クーポンリスト、８２１…アプリ配布サイト、１０２１…ユーザ、２０５１…ダウンロードボタン、２０５２…使うボタン、２０５３…配るボタン、２０５４…確認ボタン、２０５５…譲渡ボタン、２０５６…配布ボタン、２０５７…確認ボタン、２１５１…送信ボタン、２２２１…お気に入り申請チェックボックス、２２２２…テキスト入力欄
【図１】
2013089071.tif 000003
【図２】
2013089071.tif 000004
【図３】
2013089071.tif 000005
【図４】
2013089071.tif 000006
【図５】
2013089071.tif 000007
【図６】
2013089071.tif 000008
【図７】
2013089071.tif 000009
【図８】
2013089071.tif 000010
【図９】
2013089071.tif 000011
【図１０】
2013089071.tif 000012
【図１１】
2013089071.tif 000013
【図１２】
2013089071.tif 000014
【図１３】
2013089071.tif 000015
【図１４】
2013089071.tif 000016
【図１５】
2013089071.tif 000017
【図１６】
2013089071.tif 000018
【図１７】
2013089071.tif 000019
【図１８】
2013089071.tif 000020
【図１９】
2013089071.tif 000021
【図２０】
2013089071.tif 000022
【図２１】
2013089071.tif 000023
【図２２】
2013089071.tif 000024